(57)【要約】【課題】精度よく位置決めした状態で光源部を導光体に対して固定することができる光源装置及び画像読み取り装置を提供することである。【解決手段】導光体は、第１の導光部及び第２の導光部と、第１の導光部及び第２の導光部に接続されている接続部であって、光源部が放射した光が入射する入射面、入射面から入射した光の一部が第１の導光部に入射するように光の一部を反射する第１の反射面、及び、入射面から入射した光の一部が第２の導光部に入射するように光の一部を反射する第２の反射面を含んでいる接続部を含んでいる接続部と、を含んでいる。第１の導光体、接続部及び第２の導光体は、この順に第１の方向に並んでおり、第１の反射面及び第２の反射面は、この順に第１の方向に並んでいる。ホルダは、第１の反射面及び第２の反射面に接触する位置決め部と、第１の方向における移動を規制するように光源部を固定する固定部と、を含んでいる。【選択図】図４
2015041584.tif 000002
【特許請求の範囲】
【請求項１】
光源部と、
導光体と、
ホルダと、
を備えており、
前記導光体は、
第１の導光部及び第２の導光部と、
前記第１の導光部及び前記第２の導光部に接続されている接続部であって、前記光源部が放射した光が入射する入射面、該入射面から入射した光の一部が該第１の導光部に入射するように該光の一部を反射する第１の反射面、及び、該入射面から入射した光の一部が該第２の導光部に入射するように該光の一部を反射する第２の反射面を含んでいる接続部を含んでいる接続部と、
を含んでおり、
前記第１の導光体、前記接続部及び前記第２の導光体は、この順に第１の方向に並んでおり、
前記第１の反射面及び前記第２の反射面は、この順に前記第１の方向に並んでおり、
前記ホルダは、
前記第１の反射面及び前記第２の反射面に接触する位置決め部と、
前記第１の方向における移動を規制するように該光源部を前記接続部に固定する固定部と、
を含んでいること、
を特徴とする光源装置。
【請求項２】
前記接続部は、
前記光源部が接触する保持面を、
更に含んでおり、
前記固定部は、第１の力及び第２の力を前記光源部に加えており、
前記第１の力は、前記保持面に垂直な成分と前記第１の方向に向かう成分とを有し、
前記第２の力は、前記保持面に垂直な成分と前記第１の方向と反対方向に向かう成分とを有していること、
を特徴とする請求項１に記載の光源装置。
【請求項３】
前記位置決め部は、前記第１の反射面及び前記第２の反射面に対して点接触していること、
を特徴とする請求項１又は請求項２のいずれかに記載の光源装置。
【請求項４】
前記接続部は、
前記光源部が接触する保持面を、
更に含んでおり、
前記第１の反射面及び前記第２の反射面は、前記保持面に対して、前記第１の方向に直交する第２の方向側に設けられており、
前記接続部は、前記保持面と前記第１の反射面及び前記第２の反射面とを接続し、互いに対向する上面及び底面を更に含んでおり、
前記上面は、前記底面に対して、前記第１の方向及び前記第２の方向に直交する第３の方向に設けられており、
前記ホルダは、
前記保持面から前記上面に沿って前記第２の方向に延在する第１の延在部と、
前記保持面から前記底面に沿って前記第２の方向に延在する第２の延在部と、
を更に含んでいること、
を特徴とする請求項１ないし請求項３のいずれかに記載の光源装置。
【請求項５】
前記第１の延在部及び前記第２の延在部は、前記保持面から前記第２の方向に向かって所定の区間において、該保持面に対して鈍角をなしていること、
を特徴とする請求項４に記載の光源装置。
【請求項６】
前記第１の延在部と前記第２の延在部は、前記第１の方向から平面視したときに、互いに線対称な構造を有していること、
を特徴とする請求項５に記載の光源装置。
【請求項７】
前記第１の延在部及び前記第２の延在部は、前記第１の反射面及び前記第２の反射面まで到達していること、
を特徴とする請求項４ないし請求項６のいずれかに記載の光源装置。
【請求項８】
前記上面及び前記底面はそれぞれ、前記保持面から前記第２の方向に向かって所定の区間において、該保持面に対して鈍角をなしていること、
を特徴とする請求項４ないし請求項７のいずれかに記載の光源装置。
【請求項９】
前記位置決め部は、前記第１の延在部から前記第３の方向の反対方向に突出する第１の突起、及び、前記第２の延在部から前記第３の方向に突出する第２の突起により構成されていること、
を特徴とする請求項４ないし請求項８のいずれかに記載の光源装置。
【請求項１０】
前記第３の方向から平面視したときに、前記保持面と前記第１の導光部とを接続する面、及び、該保持面と前記第２の導光部とを接続する面は、凸曲面をなしていること、
を特徴とする請求項４ないし請求項９のいずれかに記載の光源装置。
【請求項１１】
前記凸曲面は、楕円弧であること、
を特徴とする請求項１０に記載の光源装置。
【請求項１２】
請求項１ないし請求項１１のいずれかに記載の前記光源装置を、
備えていること、
を特徴とする画像読み取り装置。
【発明の詳細な説明】
【技術分野】
【０００１】
本発明は、光源装置及び画像読み取り装置に関し、より特定的には、原稿面に光を照射する光源装置及び画像読み取り装置に関する。
【背景技術】
【０００２】
従来の光源装置に関する発明としては、例えば、特許文献１に記載の線状光源装置が知られている。図１１は、特許文献１に記載の線状光源装置５００の分解斜視図である。
【０００３】
線状光源装置５００は、図１１に示すように、導光体５０２、光反射部材５０４及び光源５０６を備えている。導光体５０２は、左右方向に延在する透明部材である。導光体５０２の上面の左右方向の中央には、Ｖ字状の傾斜面５０２ａが設けられている。
【０００４】
光源５０６は、導光体５０２の底面の左右方向の中央に対向するように配置される。光源５０６が放射した光は、導光体５０２の底面の左右方向の中央から導光体５０２内に入射し、傾斜面５０２ａにおいて導光体５０２の右半分及び左半分に向けて反射される。
【０００５】
光反射部材５０４は、板状部５０４ａ，５０４ｂ及び連結部５０４ｃを含んでいる。板状部５０４ａ，５０４ｂは、矩形状をなしており、前後方向において互いに対向している。また、板状部５０４ａの下端は、後ろ側に折り曲げられており、板状部５０４ｂの下端は、前側に折り曲げられている。連結部５０４ｃは、板状部５０４ａ，５０４ｂを接続する三角柱である。光反射部材５０４は、連結部５０４ｃが傾斜面５０２ａに接触し、板状部５０４ａ，５０４ｂの下端が、光源５０６の底面に接触するようにして導光体５０２に取り付けられる。これにより、光反射部材５０４は、光源５０６を導光体５０２に固定している。
【０００６】
しかしながら、特許文献１に記載の線状光源装置５００では、光源５０６を精度よく位置決めした状態で導光体５０２に固定することが困難である。より詳細には、光反射部材５０４は、板状部５０４ａ，５０４ｂにより光源５０６を前後方向から挟むことにより、光源５０６を導光体５０２に固定している。そのため、光源５０６の前後方向における移動は光反射部材５０４により規制されるものの、光源５０６の左右方向における移動は光反射部材５０４により規制されない。よって、光源５０６が傾斜面５０２ａに対して所望の位置から左右方向にずれるおそれがある。その結果、導光体５０２の右半分に導かれる光の光量と導光体５０２の左半分に導かれる光の光量とに差が生じるおそれがある。
【先行技術文献】
【特許文献】
【０００７】
【特許文献１】特許第３９３００８５号
【発明の概要】
【発明が解決しようとする課題】
【０００８】
そこで、本発明の目的は、精度よく位置決めした状態で光源部を導光体に対して固定することができる光源装置及び画像読み取り装置を提供することである。
【課題を解決するための手段】
【０００９】
本発明の一形態に係る光源装置は、
光源部と、
導光体と、
ホルダと、
を備えており、
前記導光体は、
第１の導光部及び第２の導光部と、
前記第１の導光部及び前記第２の導光部に接続されている接続部であって、前記光源部が放射した光が入射する入射面、該入射面から入射した光の一部が該第１の導光部に入射するように該光の一部を反射する第１の反射面、及び、該入射面から入射した光の一部が該第２の導光部に入射するように該光の一部を反射する第２の反射面を含んでいる接続部を含んでいる接続部と、
を含んでおり、
前記第１の導光体、前記接続部及び前記第２の導光体は、この順に第１の方向に並んでおり、
前記第１の反射面及び前記第２の反射面は、この順に第１の方向に並んでおり、
前記ホルダは、
前記第１の反射面及び前記第２の反射面に接触する位置決め部と、
前記第１の方向における移動を規制するように該光源部を前記接続部に固定する固定部と、
を含んでいること、
を特徴とする。
【００１０】
本発明の一形態に係る画像読み取り装置は、
前記光源装置を、
備えていること、
を特徴とする。
【発明の効果】
【００１１】
本発明によれば、精度よく位置決めした状態で光源部を導光体に対して固定することができる。
【図面の簡単な説明】
【００１２】
【図１】本発明の一実施形態に係る光源装置を備えた画像読み取り装置の構成図である。
【図２】光源装置の外観斜視図である。
【図３】光源装置の外観斜視図である。
【図４】光源装置の分解斜視図である。
【図５】光源装置の導光体の導光部の斜視図である。
【図６】光源装置をｚ軸方向の正方向側から平面視した図である。
【図７】図３のＡ−Ａにおける断面構造図である。
【図８】第１の変形例に係る光源装置をｚ軸方向の正方向側から平面視した図である。
【図９】第２の変形例に係る光源装置の外観斜視図である。
【図１０】第２の変形例に係る光源装置をｚ軸方向の正方向側から平面視した図である。
【図１１】特許文献１に記載の線状光源装置の分解斜視図である。
【発明を実施するための形態】
【００１３】
以下に、本発明の一実施形態に係る導光体を備えた画像読み取り装置について説明する。
【００１４】
（画像読み取り装置の構成）
図１は、本発明の一実施形態に係る光源装置２７を備えた画像読み取り装置１０の構成図である。以下では、鉛直方向をｚ軸と定義し、スライダーユニット１８，２０の移動方向（すなわち、副走査方向）をｘ軸と定義する。そして、ｘ軸及びｚ軸に直交する方向（すなわち、主走査方向）をｙ軸と定義する。
【００１５】
画像読み取り装置１０は、図１に示すように、本体１２、プラテンガラス１６、スライダーユニット１８，２０、結像レンズ２２及び撮像素子２４を備えている。
【００１６】
本体１２は、プラテンガラス１６、スライダーユニット１８，２０、結像レンズ２２及び撮像素子２４が設けられている直方体状の筐体である。プラテンガラス１６は、本体１２のｚ軸の正方向側に設けられている開口に取り付けられている長方形状の透明板である。原稿Ｐは、プラテンガラス１６の上面に、読み取り面をｚ軸の負方向側に向けた状態で載置される。
【００１７】
スライダーユニット１８は、原稿Ｐが読み取られているときに、図１に示すように、原稿Ｐに沿って、図示しないモータ、ベルト及びプーリー等の移動手段により、ｘ軸の正方向側に向かって速度Ｖで移動させられる。スライダーユニット１８は、図１に示すように、光源装置２７及びミラー２９を含んでいる。
【００１８】
光源装置２７は、原稿Ｐに向けて２方向から光を放射し、例えば、ＬＥＤ及び導光体の組み合わせにより構成される。光源装置２７の詳細については後述する。ミラー２９は、図１に示すように、原稿Ｐにおいて反射した光Ｂをｘ軸の負方向側（スライダーユニット１８のスライド方向の一方側）に反射する。
【００１９】
スライダーユニット２０は、原稿Ｐが読み取られているときに、図１に示すように、原稿Ｐに沿って、図示しないモータ、ベルト及びプーリー等の移動手段により、ｘ軸の正方向側に向かって速度Ｖ／２で移動させられる。スライダーユニット２０は、ミラー３０，３２を含んでいる。
【００２０】
ミラー３０は、ミラー２９において反射した光Ｂをｚ軸の負方向側に反射させる。ミラー３２は、ミラー３０において反射した光Ｂをｘ軸の正方向側に反射させる。
【００２１】
結像レンズ２２は、光Ｂによって得られる光学像を撮像素子２４に結像させる。撮像素子２４は、ミラー３２において反射した光Ｂを受光する受光素子である。具体的には、撮像素子２４は、ｙ軸に延びる一次元状の撮像領域を有し、結像レンズ２２によって結像された光学像を走査して原稿Ｐの像を読み取るＣＣＤカメラ等のラインセンサである。
【００２２】
（光源装置の構成）
以下に、光源装置２７の構成について図面を参照しながら説明する。図２及び図３は、光源装置２７の外観斜視図である。図４は、光源装置２７の分解斜視図である。図５は、光源装置２７の導光体４２の導光部４６の斜視図である。図６は、光源装置２７をｚ軸方向の正方向側から平面視した図である。図７は、図３のＡ−Ａにおける断面構造図である。
【００２３】
光源装置２７は、図２ないし図４に示すように、光源部４０、導光体４２及びホルダ４４を備えている。光源装置２７は、原稿Ｐの読み取り位置に対して２方向から光を照射し、図１に示すように、ｚ軸方向に延在する直線に関して線対称な構造を有している。
【００２４】
導光体４２は、図２ないし図４に示すように、導光部４６，４８及び接続部５０を含んでいる。導光部４６，４８は、ｙ軸方向に延在している棒状の透明部材である。導光体４２は、例えば、ポリメタクリル酸メチルにより作製される。図５に示すように、導光部４６，４８のｚ軸方向の負方向側の面には、ｙ軸方向に並ぶ複数のプリズムが設けられている。各プリズムは、ｘ軸方向から平面視したときに三角形状をなしている。これにより、プリズムは、導光部４６，４８内の光を導光部４６，４８外に向けて反射する。本実施形態では、プリズムは、光をｚ軸の正方向側に反射させて原稿Ｐに向けて光を放射する。なお、プリズムの代わりに、白色樹脂面が設けられていてもよい。白色樹脂面では拡散反射が生じる。
【００２５】
接続部５０は、図２ないし図４に示すように、導光部４６，４８のｙ軸方向の正方向側の端部に接続されている。導光部４６、接続部５０及び導光部４８は、ｘ軸方向の負方向側から正方向側へとこの順に並んでいる。また、接続部５０は、図４に示すように、反射面Ｓ１，Ｓ２，入射面Ｓ３，保持面Ｓ４、上面Ｓ５及び底面Ｓ６を含んでいる。
【００２６】
保持面Ｓ４は、光源部４０が接触する面であり、接続部５０のｙ軸方向の正方向側の面である。入射面Ｓ３は、保持面Ｓ４のｘ軸方向の中央が窪むことにより形成されており、ｚ軸方向に延在する円筒を円筒の中心軸に沿って半分に分割した形状をなしている。反射面Ｓ１，Ｓ２は、保持面Ｓ４に対して、ｙ軸方向の負方向側に設けられている。すなわち、反射面Ｓ１，Ｓ２は、接続部５０のｙ軸方向の負方向側の面であり、ｘ軸方向の負方向側から正方向側へとこの順に並んでいる。また、反射面Ｓ１は、ｘ軸方向の正方向側であってｙ軸方向の負方向側を向く平面である。反射面Ｓ２は、ｘ軸方向の負方向側であってｙ軸方向の負方向側を向く平面である。これにより、反射面Ｓ１，Ｓ２は、ｚ軸方向から平面視したときにＶ字型をなしている。また、反射面Ｓ１，Ｓ２は、接続部５０のｘ軸方向の中心を通過するｙ軸方向に平行な直線に関して、互いに線対称な構造を有している。
【００２７】
上面Ｓ５は、保持面Ｓ４と反射面Ｓ１，Ｓ２とを接続する面であり、接続部５０のｚ軸方向の正方向側の面である。底面Ｓ６は、保持面Ｓ４と反射面Ｓ１，Ｓ２とを接続する面であり、接続部５０のｚ軸方向の負方向側の面である。これにより、上面Ｓ５と底面Ｓ６とが互いに対向しており、上面Ｓ５が、底面Ｓ６に対してｚ軸方向の正方向側に設けられている。また、上面Ｓ５及び底面Ｓ６はそれぞれ、図７に示すように、保持面Ｓ４からｙ軸方向の負方向側に向かって所定の区間Ａにおいて、保持面Ｓ４に対して鈍角をなしている。また、ｘ軸方向から平面視したときに、上面Ｓ５と底面Ｓ６とは、互いに線対称な構造を有している。
【００２８】
光源部４０は、図４に示すように、光源６６及び回路基板６８を含んでいる。回路基板６８は、光源６６を駆動するための駆動回路が設けられた基板であり、矩形状の平板である。回路基板６８は、保持面Ｓ４に接触するように配置されている。
【００２９】
光源６６は、例えば、ＬＥＤにより構成され、回路基板６８のｙ軸方向の負方向側の主面上に実装されている。光源６６は、図６に示すように、入射面Ｓ４により形成されている凹部内に収容されている。光源６６は、ｙ軸の負方向側、ｚ軸の正方向側及び負方向側、並びに、ｘ軸の正方向側及び負方向側に向けて光を放射する。本実施形態では、光源６６は、ｙ軸を中心として１２０度程度の半減角（中心方向に対して輝度が５０％となる角度）を有している。光源６６が放射した光は、図４に示すように、入射面Ｓ３を介して接続部５０内に入射する。
【００３０】
ホルダ４４は、図１ないし図３に示すように、光源部４０を保持面Ｓ３に固定する金属部材であり、１枚の金属板（例えば、ＳＵＳ板）がコ字型に折り曲げ加工されて作製されている。ホルダ４４は、図４に示すように、枠部５２、固定部５４，５６、延在部５８，６０及び位置決め部６２，６４を含んでいる。枠部５２は、長方形状の枠状をなしており、ｙ軸方向に直交する面である。枠部５２には、長方形状の開口が設けられている。固定部５４は、枠部５２の開口のｘ軸方向の負方向側の短辺からｘ軸方向の正方向側に突出している帯状部材である。固定部５４は、ｙ軸方向の正方向側に向かって僅かに折り曲げられている。固定部５６は、枠部５２の開口のｘ軸方向の正方向側の短辺からｘ軸方向の負方向側に突出している帯状部材である。固定部５６は、ｙ軸方向の正方向側に向かって僅かに折り曲げられている。
【００３１】
延在部５８は、枠部５２のｚ軸方向の正方向側の長辺に接続されており、枠部５２に対してｙ軸方向の負方向側に折り曲げられている。延在部６０は、枠部５２のｚ軸方向の負方向側の長辺に接続されており、枠部５２に対してｙ軸方向の負方向側に折り曲げられている。これにより、延在部５８，６０は、ｚ軸方向において互いに対向している。
【００３２】
位置決め部６２は、延在部５８からｚ軸方向の負方向側に突出している突起である。位置決め部６４は、延在部６０からｚ軸方向の正方向側に突出している突起である。
【００３３】
以上のように構成されたホルダ４４は、光源部４０を保持面Ｓ４に固定する。より詳細には、枠部５２が保持面Ｓ４に接触し、延在部５８が上面Ｓ５に接触し、延在部６０が底面Ｓ６に接触する。これにより、延在部５８，６０はそれぞれ、図７に示すように、上面Ｓ５及び底面Ｓ６に沿ってｙ軸方向の負方向側に向かって延在している。前記の通り、上面Ｓ５及び底面Ｓ６はそれぞれ、保持面Ｓ４からｙ軸方向の負方向側に向かって所定の区間Ａにおいて、保持面Ｓ４に対して鈍角をなしている。したがって、延在部５８，６０はそれぞれ、上面Ｓ５及び底面Ｓ６に沿うように保持面Ｓ４からｙ軸方向の負方向側に向かって所定の区間Ａにおいて、保持面Ｓ４に対して鈍角をなしている。また、ｘ軸方向から平面視したときに、延在部５８，６０とは、互いに線対称な構造を有している。更に、延在部５８，６０はそれぞれ、ｚ軸方向から平面視したときに、反射面Ｓ１，Ｓ２まで到達している。
【００３４】
また、反射面Ｓ１，Ｓ２から突出している位置決め部６２，６４は、図６に示すように、Ｖ字型をなす反射面Ｓ１，Ｓ２間に挟まれている。これにより、位置決め部６２，６４は、反射面Ｓ１，Ｓ２に対して点接触している。これにより、ホルダ４４は、位置決め部６２，６４により、反射面Ｓ１，Ｓ２に対して位置決めされた状態で、接触部５０に係合している。
【００３５】
また、光源部４０は、枠部５２の開口内に収まっている。固定部５４は、図６に示すように、回路基板６８のｘ軸方向の負方向側の辺に圧接することにより、回路基板６８に力Ｆ１を加えている。固定部５６は、回路基板６８のｘ軸方向の正方向側の辺に圧接することにより、回路基板６８に力Ｆ２を加えている。力Ｆ１は、ｙ軸方向の負方向側に向かう（保持面Ｓ４に垂直な）成分とｘ軸方向の正方向側に向かう成分とを有する力である。力Ｆ２は、ｙ軸方向の負方向側に向かう（保持面Ｓ４に垂直な）成分とｘ軸方向の負方向側に向かう成分とを有する力である。すなわち、固定部５６，５８は、ｘ軸方向の両側から光源部４０を挟んでいる。これにより、固定部５６，５８は、光源部４０を保持面Ｓ４に押さえ付けると共に、光源部４０のｘ軸方向における移動を規制している。
【００３６】
次に、光源装置２７における光の経路の詳細について図６及び図７を参照しながら説明する。
【００３７】
光源６６は光を放射する。これにより、光源６６が放射した光は、入射面Ｓ３を介して接続部５０内に入射する。入射面Ｓ３から入射した光の一部（光Ｂ１）は、反射面Ｓ１に入射する。反射面Ｓ１は、光Ｂ１を全反射する。これにより、入射面Ｓ３から入射した光Ｂ１は、導光部４６に入射する。また、入射面Ｓ３から入射した光の一部（光Ｂ２）は、反射面Ｓ１に入射せずに、直接に導光部４６に入射する。
【００３８】
導光部４６に入射した光Ｂ１，Ｂ２は、導光部４６の内周面において全反射を繰り返しながらｙ軸方向の負方向側へと進行する。光Ｂ１，Ｂ２は、ｙ軸方向に向かって進行中に、導光部４６に設けられたプリズムにおいて反射される。これにより、光Ｂ１，Ｂ２は、ｚ軸方向の正方向側に向かって導光部４６外へと出射する。
【００３９】
入射面Ｓ３から入射した光の一部（光Ｂ３）は、反射面Ｓ２に入射する。反射面Ｓ２は、光Ｂ３を全反射する。これにより、入射面Ｓ３から入射した光Ｂ３は、導光部４８に入射する。また、入射面Ｓ３から入射した光の一部（光Ｂ４）は、反射面Ｓ２に入射せずに、直接に導光部４８に入射する。
【００４０】
導光部４８に入射した光Ｂ３，Ｂ４は、導光部４８の内周面において全反射を繰り返しながらｙ軸方向の負方向側へと進行する。光Ｂ３，Ｂ４は、ｙ軸方向の負方向側に向かって進行中に、導光部４８に設けられたプリズムにおいて反射される。これにより、光Ｂ３，Ｂ４は、ｚ軸方向の正方向側に向かって導光部４８外へと出射する。
【００４１】
（効果）
本実施形態に係る光源装置２７によれば、精度よく位置決めした状態で光源部４０を導光体４２に対して固定することができる。より詳細には、光源装置２７では、ホルダ４４の位置決め部６２，６４が反射面Ｓ１，Ｓ２に接触している。これにより、ホルダ４４と反射面Ｓ１，Ｓ２との位置決めがなされる。更に、ホルダ４４の固定部５４，５６は、ｘ軸方向における移動を規制するように光源部４０を保持面Ｓ４に固定している。具体的には、固定部５４は、回路基板６８のｘ軸方向の負方向側の辺に圧接することにより、回路基板６８に力Ｆ１を加えている。固定部５６は、回路基板６８のｘ軸方向の正方向側の辺に圧接することにより、回路基板６８に力Ｆ２を加えている。力Ｆ１は、ｙ軸方向の負方向側に向かう成分とｘ軸方向の正方向側に向かう成分とを有する力である。力Ｆ２は、ｙ軸方向の負方向側に向かう成分とｘ軸方向の負方向側に向かう成分とを有する力である。よって、光源部４０がホルダ４４に対してｘ軸方向に移動することが抑制される。その結果、ｘ軸方向において精度よく位置決めした状態で光源部４０を導光体４２に対して固定することが可能となる。これにより、導光部４６に入射する光の光量と導光部４８に入射する光の光量とを近づけることが可能となる。
【００４２】
また、ホルダ４４は、ｙ軸方向に延在する直線に関して線対称な構造を有している。これにより、ホルダ４４が外部からの衝撃や熱等によって伸縮したとしても、導光部４６が放射する光の配光と導光部４８が放射する光の配光との線対称性が維持される。よって、原稿Ｐの読み取り位置に照射される光の配光の変動が抑制される。
【００４３】
また、光源装置２７によれば、位置決め部６２，６４は、反射面Ｓ１，Ｓ２に対して点接触している。また、反射面Ｓ１，Ｓ２は、接続部５０のｘ軸方向の中心を通過するｙ軸方向に平行な直線に関して、互いに線対称な構造を有している。これにより、位置決め部６２，６４は、接続部５０のｘ軸方向の中心を通過するｙ軸方向に平行な直線上に位置するようになる。すなわち、ホルダ４４が、接続部５０のｘ軸方向の中心において接続部５０に固定されるようになる。光源部４０は、接続部５０のｘ軸方向の中心を通過するｙ軸方向に平行な直線上に位置しているので、ホルダ４４により保持面Ｓ４に対して均等な力により押し付けられるようになる。
【００４４】
また、光源装置２７によれば、光源部４０が放射した光が効率よく導光部４６，４８に導かれる。より詳細には、上面Ｓ５及び底面Ｓ６はそれぞれ、保持面Ｓ４からｙ軸方向の負方向側に向かって所定の区間Ａにおいて、保持面Ｓ４に対して鈍角をなしている。これにより、ｚ軸と小さな角度（例えば、４０度以下）をなす方向に光源部４０から放射された光が、上面Ｓ５及び底面Ｓ６の区間Ａにおいて全反射され、反射面Ｓ１，Ｓ２に向かうようになる。その結果、導光部４６，４８に導かれる光の光量が多くなる。特に、ｘ軸方向から平面視したときに、上面Ｓ５と底面Ｓ６とは、互いに線対称な構造を有していることにより、上面Ｓ５において全反射される光の光量と底面Ｓ６において全反射される光の光量とを近づけることが可能となる。
【００４５】
（第１の変形例）
以下に、第１の変形例に係る光源装置２７ａについて図面を参照しながら説明する。図８は、第１の変形例に係る光源装置２７ａをｚ軸方向の正方向側から平面視した図である。
【００４６】
光源装置２７と光源装置２７ａとは、導光体４２の形状において相違する。より詳細には、ｚ軸方向から平面視したときに、保持面Ｓ４と導光部４６とを接続する面、及び、保持面Ｓ４と導光部４８とを接続する面は、凸曲面をなしている。本実施形態は、凸曲面は、楕円弧である。
【００４７】
ここで、保持面Ｓ４と導光部４６とを接続する楕円弧の一方の焦点は、ｚ軸方向から平面視したときに、光源６６と重なっている。保持面Ｓ４と導光部４６とを接続する楕円弧の一方の焦点は、ｚ軸方向から平面視したときに、導光部４６のｙ軸方向の正方向側の端部におけるｘ軸方向の中央と重なっている。
【００４８】
また、保持面Ｓ４と導光部４８とを接続する楕円弧の一方の焦点は、ｚ軸方向から平面視したときに、光源６６と重なっている。保持面Ｓ４と導光部４８とを接続する楕円弧の一方の焦点は、ｚ軸方向から平面視したときに、導光部４８のｙ軸方向の正方向側の端部におけるｘ軸方向の中央と重なっている。
【００４９】
以上のような光源装置２７ａによれば、保持面Ｓ４と導光部４６とを接続する面、及び、保持面Ｓ４と導光部４８とを接続する面において全反射した光はそれぞれ、導光部４６，４８に向かうようになる。これにより、光の利用効率を向上させることができる。
【００５０】
（第２の変形例）
以下に、第２の変形例に係る光源装置２７ｂについて図面を参照しながら説明する。図９は、第２の変形例に係る光源装置２７ｂの外観斜視図である。図１０は、第２の変形例に係る光源装置２７ｂをｚ軸方向の正方向側から平面視した図である。
【００５１】
光源装置２７と光源装置２７ｂとは、固定部５７が設けられている点、及び、位置決め部６２，６４（位置決め部６４は図示せず）の形状において相違する。より詳細には、光源装置２７ｂでは、枠部５２の開口の短辺をつなぐ固定部５７が設けられている。これにより、光源部４０がより強固に保持面Ｓ４に固定されるようになる。
【００５２】
また、位置決め部６２，６４がそれぞれ、ｚ軸方向から平面視したときにＶ字型をなしている。これにより、位置決め部６２，６４は、反射面Ｓ１，Ｓ２に対して面接触するようになる。これにより、位置決め部６２，６４は、反射面Ｓ１，Ｓ２に対して安定して接触するようになる。
【００５３】
（その他の実施形態）
本発明に係る光源装置は、光源装置２７，２７ａ，２７ｂに限らず、その要旨の範囲内において変更可能である。
【産業上の利用可能性】
【００５４】
本発明に係る光源装置及び画像読み取り装置は、精度よく位置決めした状態で光源部を導光体に対して固定することができる点において優れている。
【符号の説明】
【００５５】
Ｓ１，Ｓ２  反射面
Ｓ３  入射面
Ｓ４  保持面
Ｓ５  上面
Ｓ６  底面
２７，２７ａ，２７ｂ  光源装置
４０  光源部
４２  導光体
４４  ホルダ
４６，４８  導光部
５０  接続部
５２  枠部
５４，５６，５７  固定部
５８，６０  延在部
６２，６４  位置決め部
６６  光源
６８  回路基板
【図１】
2015041584.tif 000003
【図２】
2015041584.tif 000004
【図３】
2015041584.tif 000005
【図４】
2015041584.tif 000006
【図５】
2015041584.tif 000007
【図６】
2015041584.tif 000008
【図７】
2015041584.tif 000009
【図８】
2015041584.tif 000010
【図９】
2015041584.tif 000011
【図１０】
2015041584.tif 000012
【図１１】
2015041584.tif 000013